(57)【要約】【解決手段】酸化チタン及びカルボキシメチルセルロースナトリウムを含む造粒物を含有する紙容器又は簡易包装容器入り浴用剤；並びに酸化チタン及びカルボキシメチルセルロースナトリウムを含む造粒物を含有する浴用剤への紙容器又は簡易包装容器の使用。【効果】本発明の浴用剤は、紙容器又は簡易包装容器で包装されているので、ゴミの低量化又は包装の簡略化の観点からメリットが大きい。また、紙容器又は簡易包装容器で包装されているにもかかわらず、保存使用時の製剤の安定性が保たれるとともに、良好な溶解性及び充分な白濁効果が保持される。【選択図】　なし【特許請求の範囲】
【請求項１】
酸化チタン及びカルボキシメチルセルロースナトリウムを含む造粒物を含有する紙容器又は簡易包装容器入り浴用剤。
【請求項２】
酸化チタン及びカルボキシメチルセルロースナトリウムを含む造粒物を含有する浴用剤への紙容器又は簡易包装容器の使用。
【発明の詳細な説明】
【０００１】
【発明の属する技術分野】
本発明は、白濁剤として用いられる造粒物を含有する紙容器又は簡易包装容器入り浴用剤に関する。
【０００２】
【従来の技術】
浴用剤における白濁剤としては、一般的に無機顔料が配合されている。しかし、無機顔料をそのまま配合しても浴湯中に分散しないため白濁効果が不十分である。従って、これまでも無機顔料の浴湯中での分散性向上について種々の検討がなされてきており、水溶性高分子で無機顔料を被覆した白濁剤を含有する浴用剤（特開昭６３−５７５１６号公報等）、ＨＬＢ１１〜１８の界面活性剤でその表面が被覆された無機顔料の造粒物を乳白剤として配合した浴用剤（特開平０２−９８１１号公報）、あるいはアシル化されたＮを有するアミノ酸系界面活性剤で被覆された水不溶性で好ましくは白色の無機顔料を含有してなる粉末状の浴用剤（特開平０３−２４０７２２号公報）、炭酸塩、水不溶性無機顔料粉末とともに多価アルコールを含有することを特徴とする固体状浴用剤（特開平０８−３２５１３７号公報）等が見出されている。
中でも特に、酸化チタンと水溶性高分子を混和し造粒した白濁剤が、安定性、コスト的にも用いられるケースが多かった。
【０００３】
これら特許文献では、無機顔料を水溶性高分子等で被覆したものと表現されているが、実際には、無機顔料と水溶性高分子等を水等とともに混和し、それを乾燥させたものであるため、本明細書では造粒物と記載するが、被覆物が同等のものであることはいうまでもない。
【０００４】
【発明が解決しようとする課題】
しかし、前述の無機顔料を糖類で被覆した白濁剤を含有する浴用剤を通常の紙容器に充填保存することは、吸湿による固化及び製剤の変色（褐変）が起こる等の製剤安定性の問題を有している。仮に、紙容器を使用する場合には、容器の材質である紙に特殊な防湿加工を施す必要があり、包装コストが高くなる等の問題を生じるため、実質的には使用不可能であった。また、防湿効果の高いプラスチック容器やスチール容器等の場合は、開封までの密封された状態であれば製剤劣化の問題はないが、開封後は、保管する環境が高温多湿である風呂場及びその近辺であるため、開口部等からの吸湿による製剤の固化及び製剤の変色（褐変）を生じる可能性が高くなる。従って、これまでの白濁剤を含有する浴用剤組成物の保管容器は、開封後も気密性を維持する必要があり、多重の外装による包装や、開口部の中栓、キャップあるいは強固な嵌合構造、シール構造等を必要とし、包装を簡素化することが難しかった。現在、環境問題が重要視されており、ゴミの減量化が図られていることから、そのままゴミとなってしまうプラスチック製容器を使用するのではなく、紙容器を用いることが好ましく、また、プラスチック製容器を用いる場合でも、包装形態を簡易包装にして包装の簡略化を図ることが好ましいが、そのためには、この吸湿による固化及び変色を防止する必要性があった。
また、該白濁剤を、アルカリ性製剤中に配合した場合にも、固化、変色等の問題を生じるため、製剤開発の可能性を狭めることとなっていた。
【０００５】
【課題を解決するための手段】
本発明者らは、これらの課題を解決すべく鋭意研究を行った結果、白濁剤として用いる造粒物として、酸化チタン及びカルボキシメチルセルロースナトリウムを含む造粒物を用いれば、紙容器又は簡易包装容器で包装しても、吸湿による固化、変色を生じないとともに、アルカリ性製剤中での安定性（吸湿による固化又は変色）について問題を生じることがないこと及び浴湯中への溶解分散性においても問題がないことを見出し、本発明を完成させた。
【０００６】
即ち、本発明は、以下の発明を包含する。
（１）酸化チタン及びカルボキシメチルセルロースナトリウムを含む造粒物を含有する紙容器又は簡易包装容器入り浴用剤。
（２）酸化チタン及びカルボキシメチルセルロースナトリウムを含む造粒物を含有する浴用剤への紙容器又は簡易包装容器の使用。
【０００７】
【発明の実施の形態】
本発明において、紙容器とは、主要材質が紙で構成されている、浴用剤組成物を充填、保存するための器であり、容器包装リサイクル法における紙容器をいう。また、簡易包装容器とは、使用時に、缶、プラスチックボトル又は瓶の場合には、開口部を覆うオーバーキャップ以外には、包装部材を有しないものである。具体的には中栓、中キャップ等を必要としない容器を示す。
本発明において用いられる酸化チタンは、結晶構造の違いによりルチル型とアナターゼ型とに分けられるが、本発明においては、いずれかを単独で、又は組み合わせて用いることができる。
【０００８】
本発明の造粒物における酸化チタンとＣＭＣＮａの相対比は、９０：１０〜３０：７０が好ましく、８０：２０〜５０：５０が更に好ましい。前記相対比率がこの範囲を下回ると、造粒物の配合量に見合う濁度が得られず、この範囲を超えると水溶性高分子による被覆効果が低下し、浴湯への分散安定性が悪くなる。
【０００９】
また、本発明で用いるカルボキシメチルセルロースナトリウム（以下「ＣＭＣＮａ」という。）としては、水に溶解するものであれば特に制限はないが、２％水溶液の粘度が２００ｍＰａ・ｓ以下であるものが好ましく、１〜１００ｍＰａ・ｓであるものが更に好ましい。ＣＭＣＮａの２％水溶液の粘度がこの範囲を下回ると、造粒物の分散安定性が悪くなり、この範囲を超えると造粒が困難である。
【００１０】
本発明で用いる造粒物は、酸化チタン、ＣＭＣＮａ、及び水、並びに必要に応じてその他の成分を混合し、乾燥して造粒物とすることにより製造することができる。
酸化チタン、ＣＭＣＮａ及び水等の混合の順序は、特に制限はなく、特に制限はなく、水にＣＭＣＮａを加え、必要に応じて加温溶解した後、酸化チタンを加え混合してもよいし、また、酸化チタンとＣＭＣＮａを混合した後、水を加えロール、ニーダーなどの混練機により混合、分散してもよい。造粒に用いられる水と、酸化チタン及びＣＭＣＮａの総量との比は、１０：１〜１：１０であることが好ましく、４：１〜１：８であることが更に好ましい。造粒に用いられる水と、酸化チタン及びＣＭＣＮａの総量との比がこの範囲を下回ると、均質な造粒が困難となるため造粒物の溶解性が悪くなり、この範囲を超えると水分除去の作業効率が悪くなる。
【００１１】
本発明で用いる造粒物の製造方法の一例を以下に示す。
精製水１００重量部にＣＭＣＮａを２０〜５０重量部加え、２０〜８０℃で０．５〜３．０時間撹拌し溶解させる。これに酸化チタンを５０〜８０重量部加え、常温で１０〜１５分撹拌し、分散させる。
【００１２】
この分散物を送風定温乾燥器に入れ３０〜１５０℃で１０〜３０時間乾燥する。次に、これをマイクロバンタムミル、ユニバーサルボール等の粉砕機で６０〜２００メッシュに粉砕する。以上によって目的とする造粒物を得ることができる。
【００１３】
このようにして得られた造粒物は、浴用剤用白濁剤として用いることができる。この造粒物を用いることにより、紙容器又は簡易包装容器で包装しても、吸湿による固化、変色を生じないとともに、アルカリ性製剤中での安定性（吸湿による固化又は変色）、及び浴湯中への溶解分散性においても問題がなく、ゴミの低量化又は包装の簡略化の観点からもメリットが大きい。
【００１４】
また、本浴用剤組成物中の前記造粒物の配合量は、浴湯中の濃度が０．１５〜３０ｐｐｍになるように配合することが好ましく、１．５〜２２．５ｐｐｍが更に好ましい。造粒物の配合量がこの範囲を下回ると、浴用剤の色調が低下し、この範囲を超えると、浴湯への投入時の溶解性が低下する。
【００１５】
本発明で用いる造粒物には、酸化チタン、ＣＭＣＮａのほか、必要に応じて、通常浴用剤組成物に配合される各種成分、例えば炭酸塩、有機酸、無機顔料、保湿剤、防腐剤、香料、無機塩類、油性成分、生薬及び／又は植物の抽出物、ビタミン類、蛋白分解酵素、冷感剤、温感剤、ＣＭＣＮａ以外の水溶性高分子、金属イオン封鎖剤、崩壊剤、その他の成分を、本発明の効果を害しない範囲で配合することができる。本発明で用いる造粒物に、酸化チタン、ＣＭＣＮａ以外の成分を含有させる場合には、これらの任意的成分の使用量は、酸化チタン及びＣＭＣＮａの総量に対し、２０重量％以下であることが好ましく、１０重量％以下であることが更に好ましい。
【００１６】
更に、本発明で用いる浴用剤組成物中には、前記造粒物のほか、必要に応じて、通常浴用剤組成物に配合される各種成分、例えば炭酸塩、有機酸、無機顔料、保湿剤、防腐剤、香料、無機塩類、油性成分、生薬及び／又は植物の抽出物、ビタミン類、蛋白分解酵素、冷感剤、温感剤、ＣＭＣＮａ以外の水溶性高分子、金属イオン封鎖剤、崩壊剤、その他の成分を、本発明の効果を害しない範囲で配合することができる。この場合、前記造粒物以外の浴用剤成分に前記造粒物を加え、これを混合機に入れて常温下均一撹拌混合することによって製造される。混合機は、粉体を撹拌、混合するために使用されるものであればどのようなものでも使用できる。具体的にはバートミキサー、ナウターミキサー、万能撹拌混合機、リボンミキサー、Ｖ字型混合機等を挙げることができる。混合時間は、成分が均一に混合するのに必要な時間であればよく、前記の例に挙げた混合機を使用する場合には、通常５〜５０分間でよい。
【００１７】
炭酸塩としては、例えば炭酸ナトリウム、炭酸水素ナトリウム、炭酸マグネシウム、炭酸カリウム、炭酸水素カリウム、セスキ炭酸ナトリウム等が挙げられ、有機酸としては、例えばコハク酸、フマル酸、リンゴ酸、アジピン酸、酒石酸、クエン酸、マロン酸、マレイン酸等が挙げられる。これらの炭酸塩及び有機酸はそれぞれ１種以上を用いることができる。
無機顔料としては、例えば酸化チタン、炭酸カルシウム、炭酸マグネシウム、酸化亜鉛（亜鉛華）、タルク、ケイ酸カルシウム、無水ケイ酸、カオリン、ベントナイト、雲母チタン等が挙げられる。
【００１８】
保湿剤としては、例えば、ソルビトール、キシリトール、マルチトール、デキストリン、グルコース、マルトース、ラクトース、サッカロース、キシロース、フルクトース、マンニトール、ラクチトール等の糖類；エチレングリコール、プロピレングリコール、３−メチル−１，３−ブタンジオール、グリセリン、１，３−ブチレングリコール等の多価アルコール類；ピロリドンカルボン酸ナトリウム、グルタミン酸ナトリウム等のアミノ酸類；尿素等が挙げられる。
【００１９】
防腐剤としては、例えばパラオキシ安息香酸エステル（例えば、メチルパラベン）、安息香酸、安息香酸塩、フェノキシエタノールが挙げられる。
香料としては、例えばラベンダー油、ジャスミン油、レモン油等の天然香料、ゲラニオール、シトロネロール、フェネチルアルコール等の合成香料が挙げられる。
無機塩類としては、例えば硫酸ナトリウム、硫酸マグネシウム、塩化ナトリウム、塩化カリウム、チオ硫酸ナトリウムが挙げられる。
【００２０】
油性成分としては、例えば、大豆油、ヌカ油、ホホバ油、アボガド油、アーモンド油、オリーブ油、カカオ脂、ゴマ油、パーシック油、ヒマシ油、ヤシ油、ミンク油、牛脂、豚脂等の天然油脂、これらの天然油脂を水素添加して得られる硬化油及びミリスチン酸グリセリド、２−エチルヘキサン酸グリセリド等の合成グリセリド、ジグリセリド等の油脂類；カルナウバロウ、鯨ロウ、ミツロウ、ラノリン等のロウ類；流動パラフィン、ワセリン、パラフィン、マイクロクリスタリンワックス、セレシン、スクワラン、プリスタン等の炭化水素類；ラウリン酸、ミリスチン酸、パルミチン酸、ステアリン酸、ベヘニン酸、オレイン酸、リノール酸、リノレン酸、ラノリン酸、イソステアリン酸等の高級脂肪酸類；ラウリルアルコール、セチルアルコール、ステアリルアルコール、オレイルアルコール、コレステロール、２−ヘキシルデカノール等の高級アルコール類；オクタン酸セチル、乳酸ミリスチル、乳酸セチル、ミリスチン酸イソプロピル、パルミチン酸イソプロピル、アジピン酸イソプロピル、ステアリン酸ブチル、オレイン酸デシル、イソステアリン酸コレステロール等のエステル類；精油類；シリコーン油類が挙げられる。
【００２１】
生薬又は植物の抽出物に用いる生薬又は植物は、配合上影響のない配合比及び形態が好ましい。生薬又は植物の例としては、ソウジュツ、ビャクジュツ、カノコソウ、ケイガイ、コウボク、センキュウ、トウヒ、トウキ、ショウキョウ、オウゴン、サンシシ、ガイヨウ、アロエ、ニンジン、ケイヒ、シャクヤク、ハッカ、ブクリョウ、ドッカツ、ショウブ、マツブサ、ビャクシ、ジュウヤク、リュウノウ、サフラン、オウバク、ウイキョウ、チンピ、カンピ、カミツレ、メリッサ、ダイコン、ヤナギ、クスノキ、ニワトコ、ソウズク、ナギナタコウジュ、ヤツデ、セキショウ、ヨモギ、オトギリソウ、ユズ、ダイダイ、モモ、サイカチ、ビワ、スイカズラ、ヨロイグサ、ボタンピ、トチノキ、ノコギリソウ、ホップ、ローズマリー、カバノキ、キッソウコン、マロニエ、アルニカ、アルテア、イラクサ、ウイッチヘーゼル、ウコン、コガネバナ、キハダ、イネ、イブキトラノオ、カワラヨモギ、キウイ、キュウリ、スイカズラ、クララ、ブドウ、クチナシ、クレソン、コンフリー、サボンソウ、サボテン、シソ、シラカバ、スギナ、ボダイジュ、サルビア、センブリ、クワ、ダイズ、タチジャコウソウ、トウキンセンカ、ドクダミ、ナツメ、パセリ、ハトムギ、ブッチャーズブルーム、ヘチマ、ガマ、ホップ、モモ、ユキノシタ、キイチゴ、ラベンダー、レンゲ、バラ、ノイバラ、ローズマリー、チャ、ユリ、オオムギ、コムギ、アシタバ、アンズ、カラスムギ、トウモロコシ、ゼニアオイ、ムラサキ、トウガラシ、ショウガ、レタス、レモン、マルメロ、オレンジ、イチゴ、ベニバナ、ブナ、ゲンチアナ、リンドウ、ミドリハッカ、セイヨウハッカ、ムクロジ、ユーカリ、ウスベニアオイ、クマザサ、ウスバサイシン、ケイリンサイシン、オドリコソウ、ゴボウ、ニンニク、ハウチワマメ、イナゴマメ、マツ、キヅタ、ヤグルマソウ、ワレモコウ、コボタンヅル、シモツケ、アボカド、トウチュウカソウ、カイソウ、グレープフルーツ、プルーン、ライム、ゲンノショウコ、シイタケ、オノニス、トルメンチラ、オウレン、ヒノキ、ボタン、オオバジャノヒゲ、オリーブ、ヒマワリ、ホホバ、マカデミアナッツ、メドゥホーム、ツバキ、アーモンド、カカオ、ゴマ、シア、ボラージ等が挙げられ、これらは単独で、又は２種以上組み合わせて用いることができる。
【００２２】
ビタミン類としては、例えばビタミンＡ、ビタミンＢ、ビタミンＤ、ビタミンＥ、ビタミンＦ、ビタミンＫ、ビタミンＰ、ビタミンＵ、カルニチン、フェルラ酸、γ−オリザノール、リポ酸、オロット酸及びその誘導体等が挙げられる。蛋白分解酵素としては、例えばペプシン、トリプシン、キモトリプシン、カテプシン、パパイン、ブロメライン、フィシン及び細菌酵母、カビ由来のプロテアーゼ等が挙げられる。冷感剤としては、例えばＬ−メントール、ハッカ油、カンファー、チモール等が挙げられる。温感剤としては、例えば、カプサイシン、カプサイシノイド、ジヒドロキシカプサイシン、カプサンチン、トウガラシチンキ、トウガラシ末、ニコチン酸ベンジル、ニコチン酸β−ブトキシエチル、Ｎ−アシルワニリルアミド、ノニル酸ワニリルアミド、バニリルアルコールアルキルエーテル類、（具体的には、バニリルアルコールエチルエーテル、バニリルアルコールブチルエーテル、バニリルアルコールイソブチルエーテル、バニリルアルコールプロピルエーテル、バニリルアルコールイソプロピルエーテル、バニリルアルコールペンチルエーテル等）、ノナン酸バニリルエーテル、ショウキョウチンキ、ブチル−〔（３，４−メチレンジオキシ）ベンジル〕エーテル及びショウガオール等が挙げられる。
【００２３】
水溶性高分子としては、例えば、にかわ、ゼラチン、コラーゲン蛋白、カゼイン、アルギン酸ナトリウム、カラギーナン、ファーセレラン、タマリンドガム、ペクチン、アラビアガム、グアーガム、キサンタンガム、トラガントガム、ローカストビーンガム、デキストラン、寒天、澱粉等の天然水溶性高分子；カルボキシメチルセルロース、メチルセルロース、ヒドロキシエチルセルロース、ヒドロキシプロピルセルロース、酢酸フタル酸セルロース、アルギン酸プロピレングリコールエステル、酸化澱粉、エステル化澱粉、エーテル化澱粉、カチオン澱粉等の半合成水溶性高分子；ポリアクリル酸ナトリウム、ポリエチレンイミン、ポリビニルアルコール、ポリエチレングリコール、ポリビニルピロリドン等の合成水溶性高分子などが挙げられ、これらを単独で、又は２種以上組み合わせて用いることができる。
【００２４】
金属イオン封鎖剤としては、金属イオンを不活性化する物質であれば特に制限はないが、ＥＤＴＡ、クエン酸、リン酸、コハク酸、グルコン酸、ヘキサメタリン酸及びそれらのアルカリ金属塩等が好ましく、ＥＤＴＡ四ナトリウム、ＥＤＴＡ二ナトリウムが特に好ましい。これらの金属イオン封鎖剤は単独で、又は２種以上組み合わせて用いることができる。
【００２５】
崩壊剤としては、例えば硫酸ナトリウム、トレハロース、ベントナイト、デンプン、マルチトール、ショ糖等が好ましく、硫酸ナトリウム、トレハロース、ベントナイトが特に好ましい。これらの崩壊剤は単独で、又は２種以上組み合わせて用いることができる。
その他の成分としては、イオウ、鉱砂、湯の花、中性白土、卵黄末、イリ糠、雲母末、脱脂粉乳、海藻エキス、色素、殺菌剤等が挙げられる。
【００２６】
本発明で用いる浴用剤組成物の剤形は、固形状（例えば顆粒状、ブリケット状、フレーク状、錠剤状等）のいずれでもよい。
このようにして得られた浴用剤組成物を紙容器又は簡易包装容器で包装することにより、本発明の浴用剤簡易包装容器が得られる。本発明における包装は、例えば、紙製、プラスチック製又はスチール製のボトルに、浴用剤組成物を充填し、オーバーキャップをして密封するか、開口部にシールを行った後オーバーキャップをして密封することにより製造できる。
使用者は、必要に応じて開口部のシールを剥して、開封し、以降はオーバーキャップだけの状態での保存使用が可能となる。
【００２７】
【実施例】
以下、実施例により本発明を具体的に説明するが、本発明はこれらの実施例に限定されるものではない。
（製造例１）
精製水１００重量部にＣＭＣＮａ（ニチリン化学株式会社製　商品名：キッコレートＴＭ；２％水溶液の粘度が１０ｍＰａ・ｓ）２０重量部を加え、３０℃で１時間撹拌し、溶解した。これにルチル型酸化チタン（石原産業株式会社製　商品名：タイペークＴＭ）８０重量部を加え、常温で３０分間撹拌し分散せしめた。このものを送風定温乾燥器（ヤマト科学社製ＤＮ−８１型）で１０５℃にて２４時間（一昼夜）乾燥した。乾燥したものをマイクロバンタムミル（細川鉄工所製ＡＰ−Ｂ型）で粉砕し１００メッシュの造粒物を得た。
【００２８】
（製造例２）
精製水１００重量部にＣＭＣＮａ（ダイセル化学工業株式会社製　商品名：ＣＭＣダイセルＴＭ；２％水溶液の粘度が１０ｍＰａ・ｓ）２０重量部を加え、３０℃で１時間撹拌し、溶解した。これにアナターゼ型酸化チタン（テイカ株式会社製　商品名：ＴＩＴＡＮＩＸＴＭ）８０重量部を加え混合し、更にベントナイト３重量部を加え、常温で３０分間撹拌し分散せしめた。このものを送風定温乾燥器（ヤマト科学社製ＤＮ−８１型）で１０５℃にて２４時間（一昼夜）乾燥した。乾燥したものをマイクロバンタムミル（細川鉄工所製ＡＰ−Ｂ型）で粉砕し１００メッシュの造粒物を得た。
【００２９】
（製造例３）
ルチル型酸化チタン（石原産業株式会社製　商品名：タイペークＴＭ）７０重量部とデキストリン（松谷化学工業株式会社製　商品名：パインデックス）３０重量部を混合し、これに精製水１００重量部を加え、常温で３０分間撹拌し分散せしめた。このものを送風定温乾燥器（ヤマト科学社製ＤＮ−８１型）で１０５℃にて２４時間（一昼夜）乾燥した。乾燥したものをマイクロバンタムミル（細川鉄工所製ＡＰ−Ｂ型）で粉砕し１００メッシュの造粒物を得た。
【００３０】
（製造例４）
ポリオキシエチレン（１０）オレイルエーテル（日光ケミカルズ株式会社製　商品名：ＮＩＫＫＯＬＴＭＢＯ−１０ＴＸ）３０重量部を精製水１００重量部に溶解させ、この中にアナターゼ型酸化チタン（石原産業株式会社製　商品名：タイペークＴＭ）７０重量部を添加し、常温で３０分間撹拌し分散せしめた。このものを送風定温乾燥器（ヤマト科学社製ＤＮ−８１型）で１０５℃にて２４時間（一昼夜）乾燥した。乾燥したものをマイクロバンタムミル（細川鉄工所製　ＡＰ−Ｂ型）で粉砕し１００メッシュの造粒物を得た。
【００３１】
（実施例１〜３及び比較例１〜２）粉末状浴用剤
製造例１〜４で得た造粒物及び表１又は表２に示す成分を万能撹拌混合機（三英製作所製２５ＡＭ−ｒｒ（Ｑｒ））に入れ、１０分間撹拌混合して粉末状浴用剤組成物を製造した。この粉末状浴用剤組成物を、充填機で紙容器（凸版印刷（（株）製）に充填し、紙容器入り粉末状浴用剤を製造した。また、この粉末状浴用剤組成物を、充填機でオーバーキャップのみのプラスチック製ボトル（材質：ポリエチレン、吉野工業（株）製）に充填し、粉末状簡易包装浴用剤を製造した。
【００３２】
（実施例４及び比較例３）顆粒状浴用剤
製造例１、３で得た造粒物と表１の実施例４、表２の比較例３に記載の各成分を混合打錠したものを、マイクロバンタムミル（細川鉄工所製ＡＰ−Ｂ型）で粉砕し１００メッシュの顆粒状浴用剤組成物を得た。この顆粒状浴用剤組成物を、充填機で紙容器（凸版印刷（株）製）又はオーバーキャップのみのプラスチック製ボトル（材質：ポリエチレン、吉野工業（株）製）に充填し、紙容器入り顆粒状浴用剤を製造した。また、この顆粒状浴用剤組成物を、充填機でオーバーキャップのみのプラスチック製ボトル（材質：ポリエチレン、吉野工業（株）製）に充填し、顆粒状簡易包装浴用剤を製造した。
【００３３】
（実施例５及び６並びに比較例４）錠剤状浴用剤
製造例１、２又は４で得た造粒物と表１の実施例５〜６、表２の比較例４に記載の各成分を万能撹拌混合機（三英製作所製２５ＡＭ−ｒｒ（Ｑｒ））に入れ、１０分間撹拌混合し、単発打錠機で打錠して錠剤状浴用剤組成物を得た。この錠剤状浴用剤組成物を、充填機で紙容器（凸版印刷（株）製）に充填し、紙容器入り錠剤状浴用剤を製造した。また、この錠剤状浴用剤組成物を、充填機でオーバーキャップのみのプラスチック製ボトル（材質：ポリエチレン、吉野工業（株）製）に充填し、錠剤状簡易包装浴用剤を製造した。
【００３４】
（実施例７及び８並びに比較例５）ブリケット状浴用剤
製造例１〜３で得た造粒物と表１の実施例７〜８、表２の比較例５に記載の各成分を万能撹拌混合機（三英製作所製２５ＡＭ−ｒｒ（Ｑｒ））に入れ、１０分間撹拌混合し、乾式造粒機（ブリケッティングマシーン）で造粒してブリケット状浴用剤組成物を得た。このブリケット状浴用剤組成物を、充填機で紙容器（凸版印刷（株）製）に充填し、紙容器入りブリケット状浴用剤を製造した。また、このブリケット状浴用剤組成物を、充填機でオーバーキャップのみのプラスチック製ボトル（材質：ポリエチレン、吉野工業（株）製）に充填し、ブリケット状簡易包装浴用剤を製造した。
【００３５】
（試験例１）保存品の外観性状の変化
実施例１〜８及び比較例１〜５に記載の紙容器入り浴用剤及びオーバーキャップのみのプラスチック容器入り簡易包装浴用剤を、開封後オーバーキャップを付けた状態で、４０℃、７５％ＲＨの条件下で３０日間保存した後、外観性状の変化を調べた。判定基準は、後述のとおり。
本試験の結果、実施例１〜８の浴用剤はいずれも、外観性状に変化が認められなかったのに対し、比較例１〜５はいずれも、固結又は変色のいずれかが認められた。結果は表１又は表２に記載のとおり。
【００３６】
（試験例２）溶解性及び分散安定性試験
実施例１〜８及び比較例１〜５に記載の紙容器入り浴用剤及びオーバーキャップのみのプラスチック容器入り簡易包装浴用剤を開封後オーバーキャップを付けた状態で、４０℃、７５％ＲＨの環境下で３０日間保存した。その後該浴用剤の１回使用量を４０℃に加温した、２００Ｌの水道水に溶解させ、浴用剤の溶解性と浴湯の白濁度を目視により判定した。判定基準は、後述のとおり。
【００３７】
本試験の結果、実施例１〜８の浴用剤はいずれも紙容器あるいはプラスチック容器のいずれであっても、乳白濁色のミルク風呂調の浴湯となり、入浴に使用した後一昼夜経過しても安定な分散状態が変化しなかったのに対し、比較例１〜５は特に紙製容器の場合に溶解性が悪くなり、充分な濁度が得られず、プラスチック容器の場合も、同様であった。結果は表１又は表２に記載のとおり。
【００３８】
【表１】
2004010542.tif 000002
【００３９】
【表２】
2004010542.tif 000003
【００４０】
【発明の効果】
本発明の浴用剤は、紙容器又は簡易包装容器で包装されているので、ゴミの低量化又は包装の簡略化の観点からメリットが大きい。また、紙容器又は簡易包装容器で包装されているにもかかわらず、保存使用時の製剤の安定性が保たれるとともに、良好な溶解性及び充分な白濁効果が保持される。